(57)【要約】【課題】消火器が持ち上げられると、これを警報音によって知らせることのできる消火器の防犯装置を提供する。【解決手段】消火器用受け皿２の上面で後部の位置に警報発生器３を設け、この警報発生器３の下部に、上下動可能となって常時上昇位置に移動する移動弾性が付勢され、上昇位置にあるとき警報を発し、下降位置にあるとき警報を発しないようにする係止片１０を設け、前記消火器用受け皿２の上部に配置される載置部材４に、前記係止片１０の鉤形部１１に対して係合し、この載置部材４に載せた消火器の重量で前記係止片１０を下降位置に保持する係合部１２を設けた。【選択図】図１
0003158169.tif 000002
【実用新案登録請求の範囲】
【請求項１】
消火器用受け皿と、この受け皿の上面で後部の位置に設けた警報発生器と、前記消火器用受け皿の上部に配置され、消火器を直接載せる載置部材とからなり、
前記警報発生器が、下部に上下動可能となるよう設けた係止片が常時上昇位置に移動する移動弾性が付勢され、この係止片が上昇位置にあるとき警報を発し、下降位置にあるとき警報を発しないように形成され、
前記載置部材の後部に、前記係止片に対して係合し、この載置部材に載せた消火器の重量で前記係止片を下降位置に保持する係合部を設けた消火器の防犯装置。
【請求項２】
上記警報発生器が、巻き締めたゼンマイを駆動源として鈴を鳴動させるように形成され、上記係止片の上部延長部分が、係止片の上昇位置で鈴を鳴動させ、下降位置で鈴の鳴動を停止させる制御部になっている請求項１に記載の消火器の防犯装置。
【考案の詳細な説明】
【技術分野】
【０００１】
この考案は、建物の床面等に設置されている消火器が悪戯されたり持ち去られることのないようにする消火器の防犯装置に関する。
【背景技術】
【０００２】
屋内等に消火器を配置する場合の設置形態として床置設置があり、この床置設置は、床面に置く受け皿上に消火器を起立状に載置し、速やかな消火器の使用を可能にすると共に、受け皿によって消火器の下部が錆びたり腐食しないようにしている（例えば、特許文献１参照）。
【先行技術文献】
【特許文献】
【０００３】
【特許文献１】実用新案登録第３０２９８５８号公報
【考案の概要】
【考案が解決しようとする課題】
【０００４】
ところで、消火器の床置設置は、単に消火器を受け皿上へ起立状に載置しただけの状態となっているので、だれでも自由に消火器を触ることができ、このため、監視の届かないところでは、消火器に対する悪戯や移動、消火器の窃盗等が往々にして発生しているのが現状である。
【０００５】
そこで、この考案の課題は、受け皿上に載置した消火器を持ち上げると警報を発して周辺の人に知らせるようにし、消火器に対する悪戯や盗難を確実に防ぐことができる消火器の防犯装置を提供することにある。
【課題を解決するための手段】
【０００６】
上記の課題を解決するため、この考案は、消火器用受け皿と、この受け皿の上面で後部の位置に設けた警報発生器と、前記消火器用受け皿の上部に配置され、消火器を直接載せる載置部材とからなり、前記警報発生器が、下部に上下動可能となるよう設けた係止片が常時上昇位置に移動する移動弾性が付勢され、この係止片が上昇位置にあるとき警報を発し、下降位置にあるとき警報を発しないように形成され、前記載置部材の後部に、前記係止片に対して係合し、この載置部材に載せた消火器の重量で前記係止片を下降位置に保持する係合部を設けたものである。
【０００７】
上記警報発生器が、巻き締めたゼンマイを駆動源として鈴を鳴動させるように形成され、上記係止片の上部延長部分が、係止片の上昇位置で鈴を鳴動させ、下降位置で鈴の鳴動を停止させる制御部になっている構造とすることができる。
【０００８】
ここで、消火器用受け皿は、合成樹脂等を用い、平面的に消火器の直径よりも少し大きく形成され、その後部両側に支柱が立設され、両支柱の上端間に、消火器の使用方法等を表記した表示板が取付けられている。
【０００９】
上記警報発生器は、消火器用受け皿の後部上面で両支柱間の位置に起立配置したケースの外面に鈴を設け、このケース内に鈴を叩いて鳴らすゼンマイ等の鳴動機構や上記制御部を収納し、前記ケースの下部から下方に突出する係止片は、その下端が前方に突出する鉤形部になっている。
【００１０】
上記載置部材は、平面的に消火器の直径が納まる円形の皿形に形成され、その後部外周縁に設けた係合部が、係止片の鉤形部に対して上から嵌め込むことによって係合する下面開放状の箱形になっている。
【００１１】
この載置部材は、係合部を係止片の鉤形部に係合させても、上昇位置にある係止片を引き下げることのできない自重を有し、その上面に載置した消火器の重量が加わることで、係止片を下降位置に引き下げることになる。
【００１２】
上記載置部材の上面に消火器を載置することで係止片が下降位置に保持され、警報発生器は鳴動機構が作動しない状態となり、消火器を持ち上げると、消火器の重量から解かれた係止片が上昇位置に移動し、警報発生器の鳴動機構が作動することで鈴を叩き、警報音を発することになる。
【考案の効果】
【００１３】
この考案によると、消火器用受け皿上の載置部材に対して消火器を持ち上げると警報発生器が警報を発するようにしたので、消火器の床置設置において、消火器を持ち上げると警報によって周辺の人に知らせることができ、これによって、消火器に対する悪戯や移動、消火器の窃盗等の発生を確実に防ぐことができる。
【００１４】
また、消火器を載置部材に対して載せ置くだけでよいので、消火器に何らの加工を施す必要がなく、既存の消火器がそのまま使用できることになる。
【図面の簡単な説明】
【００１５】
【図１】この考案に係る防犯装置の分解斜視図
【図２】この考案に係る防犯装置に消火器を載置した通常の床置設置状態を示す縦断側面図
【図３】この考案に係る防犯装置に載置した消火器を持ち上げた警報発生状態を示す縦断側面図
【図４】この考案に係る防犯装置に消火器を載置した通常の床置設置状態を示す斜視図
【考案を実施するための形態】
【００１６】
以下、この考案の実施の形態を図示例に基づいて説明する。
【００１７】
図１のように、消火器の防犯装置１は、消火器用受け皿２と、この受け皿２の上面で後部の位置に設けた警報発生器３と、前記消火器用受け皿２の上部に配置され、消火器を直接載せる載置部材４とで形成されている。
【００１８】
上記消火器用受け皿２は、合成樹脂や防錆性の金属板を用い、平面的に消火器の胴部直径よりも少し大きい馬蹄形となる底板２ａの直線状となる後部縁を除く周縁に周壁２ｂを設け、底板２ａの部分が窪んだ形状に形成され、その後部両側には、周壁２ｂに設けた孔５に下端を差し込むことによって一対の支柱６が立設され、図４のように、両支柱６の上端間に、消火器の使用方法等を表記した表示板７が取付けられている。
【００１９】
上記警報発生器３は、消火器用受け皿２における底板２ａの後部上面で両支柱６間の位置に起立するよう固定配置したケース８の外面に鈴９を設け、図示省略したが、このケース８内に、ケース８の外部から巻き締めることによってゼンマイに弾性を蓄積し、蓄積弾性を開放することで、前記ゼンマイを駆動源として鈴９を叩いて鳴らす周知の鳴動機構を収納し、前記ケース８の下部に係止片１０が上下動可能となるように設けられている。
【００２０】
この係止片１０は、上下に長い板状となり、ケース８内に設けたばねによって常時上昇位置に移動する移動弾性が付勢され、上記鳴動機構に対して、この係止片１０の上部延長部分が、係止片１０の上昇位置で鈴を鳴動させ、下降位置で鈴の鳴動を停止させるよう作用する制御部になっていると共に、前記ケース８の下部から下方に突出する係止片１０の下端が前方に突出する鉤形部１１に形成されている。
【００２１】
なお、警報発生器３は、ケース８内にブザーとその電源である電池及びスイッチ等を収納し、係止片１０の上昇位置でスイッチの接点が閉じてブザーが鳴り、下降位置でスイッチの接点が開いてブザーが鳴らないようにした構造を採用することもできる。
【００２２】
上記載置部材４は、図１と図２のように、合成樹脂や防錆性の金属板を用いて平面的に消火器ａの直径が納まる円形の浅い皿形に形成され、その後部外周縁に、上記係止片１０の鉤形部１１に対して上から嵌め込むことによって係合する下面開放状の箱形となる係合部１２が設けられている。
【００２３】
この載置部材４は、係合部１２を係止片１０の鉤形部１１に係合させても、上昇位置にある係止片１０を引き下げることのできない自重を有し、その上面に載置した消火器ａの重量が加わることで、係止片１０を下降位置に引き下げることになる。
【００２４】
上記載置部材４は、図示のような円形の浅い皿形に限るものではなく、前後に長い帯板状に形成してもよく、載置した消火器ａの重量で係止片１０を下降位置に引き下げることができるものであればよい。
【００２５】
この考案の防犯装置は、上記のような構成であり、屋内等に消火器ａを配置する床置設置において、消火器用受け皿２を床面に設置し、この消火器用受け皿２上に配置した載置部材４の係合部１２を係止片１０の鉤形部１１に係合させ、前記載置部材４の上に消火器ａを起立状に載置してその重量で係止片１０を下降位置に引き下げ、警報発生器３はゼンマイを巻き締めておくことにより、図２と図４のように、消火器の床置設置状態とする。
【００２６】
このとき、係止片１０は下降位置にあるので、警報発生器３の鳴動機構はオフの状態に保持され、警報発生器３が鳴動することはない。
【００２７】
上記した消火器の床置設置状態で、図３のように、消火器ａが持ち上げられると、載置部材４を介して係止片１０に加わっていた消火器ａの重量が解かれるので、係止片１０はばねの引き上げ力によって上昇位置に移動し、警報発生器３の鳴動機構はオンとなり、鈴９を叩いて鳴動する音で、消火器ａが持ち上げられたことを周囲の人に知らせ、これにより、消火器ａに対する悪戯や移動、消火器ａの盗難等の発生を確実に防ぐことができる共に、火災発生時の消火器ａの使用においても、同様の鳴動する音で火災の発生を周囲の人に知らせることができ、火災に対する安全性の向上が図れることになる。
【００２８】
なお、警報発生器３の鳴動は、載置部材４の上に消火器ａを戻すか、警報発生器３に設けてある鳴動停止ボタンを押すことによって停止させることができる。
【符号の説明】
【００２９】
１          消火器の防犯装置
２          消火器用受け皿
３          警報発生器
４          載置部材
５          孔
６          支柱
７          表示板
８          ケース
９          鈴
１０        係止片
１１        鉤形部
１２        係合部
【図１】
0003158169.tif 000003
【図２】
0003158169.tif 000004
【図３】
0003158169.tif 000005
【図４】
0003158169.tif 000006